(57)【要約】【課題】２種類の圧縮形式の動画像情報を記録、再生する際に、ユーザの操作が煩雑にならないように使い勝手に優れたものにし、また、操作用のボタンの数を最小限のものとして、ボタンの配置を容易なものとすること。【解決手段】ボタンが半押しされたときに、第１の圧縮形式による動画像情報の記録を開始させ、ボタンが全押しされたときに、第２の圧縮形式による動画像情報の記録を開始させ、ボタンが再び全押しされたときに、双方の圧縮形式による動画像情報の記録を停止させるようにする。【選択図】      図１
2004363924.tif 000002
【特許請求の範囲】
【請求項１】
第１の圧縮形式の動画像情報と第２の圧縮形式の動画像情報を選択的に記録媒体に記録し、前記記録媒体に記録された前記第１の圧縮形式の動画像情報と前記第２の圧縮形式の動画像情報を選択的に再生する記録再生装置において、
少なくとも記録開始の指示と記録停止の指示を行なうためのボタンと、
前記ボタンの押し方の態様の相違を認知すると共に、現在の記録の状況を認知して、前記第１の圧縮形式の動画像情報の記録開始と記録停止、及び前記第２の圧縮形式の動画像情報の記録開始と記録停止とを、制御する制御手段とを、
有することを特徴とする記録再生装置。
【請求項２】
請求項１に記載の記録再生装置において、
前記ボタンは、半押しで閉成する接点構造と全押しで閉成する接点構造とをもち、前記制御手段は、前記ボタンの半押しと全押しとで、前記ボタンの押し方の態様の相違を認知することを特徴とする記録再生装置。
【請求項３】
請求項１に記載の記録再生装置において、
前記制御手段は、前記ボタンが短い時間押される短押しと、比較的長い時間押される長押しとで、前記ボタンの押し方の態様の相違を認知することを特徴とする記録再生装置。
【請求項４】
請求項１に記載の記録再生装置において、
前記制御手段は、前記ボタンが１回だけ押される１回押しと、２回連続して押される２回押しとで、前記ボタンの押し方の態様の相違を認知することを特徴とする記録再生装置。
【請求項５】
請求項１乃至４のいずれか１項に記載の記録再生装置において、
動画像情報の記録モードと再生モードとを設定する記録再生選択手段を有し、
前記記録再生選択手段によって記録モードが選択されている場合には、前記制御手段は、前記したボタンの押し方の態様の相違の認知結果と前記した現在の記録の状況の認知結果とに応じて、前記第１の圧縮形式の動画像情報の記録開始と記録停止及び前記第２の圧縮形式の動画像情報の記録開始と記録停止を制御し、前記記録再生選択手段によって再生モードが選択されている場合には、前記制御手段は、前記したボタンの押し方の態様の相違の認知結果と現在の再生の状況の認知結果とに応じて、前記第１の圧縮形式の動画像情報の再生開始と再生停止及び前記第２の圧縮形式の動画像情報の再生開始と再生停止を制御することを特徴とする記録再生装置。
【請求項６】
請求項１乃至５のいずれか１項に記載の記録再生装置において、
前記第１の圧縮形式の動画像情報の記録または再生を行なっていること、及び前記第２の圧縮形式の動画像情報の記録または再生を行なっていることを認知させるための表示手段を有することを特徴とする記録再生装置。
【請求項７】
請求項１乃至５のいずれか１項に記載の記録再生装置において、
前第１の圧縮形式の動画像情報を記録する第１の記憶媒体と、前記第２の圧縮形式の動画像情報を記録する第２の記録媒体とを有することを特徴とする記録再生装置。
【請求項８】
請求項１乃至５のいずれか１項に記載の記録再生装置において、
前第１の圧縮形式の動画像情報と前記第２の圧縮形式の動画像情報とは、同一の記録媒体に記録されることを特徴とする記録再生装置。
【請求項９】
第１の圧縮形式の動画像情報と第２の圧縮形式の動画像情報を選択的に記録媒体に記録し、前記記録媒体に記録された前記第１の圧縮形式の動画像情報と前記第２の圧縮形式の動画像情報を選択的に再生する記録再生装置の制御方法において、
少なくとも記録開始の指示と記録停止の指示とを行なうためのボタンを設けて、前記ボタンの押し方の態様の相違と現在の記録の状況との認知結果に応じて、前記第１の圧縮形式の動画像情報の記録開始と記録停止、及び前記第２の圧縮形式の動画像情報の記録開始と記録停止とを、制御することを特徴とする記録再生装置の制御方法。
【請求項１０】
請求項９に記載の記録再生装置の制御方法において、
前記ボタンの半押しと全押しとで、前記ボタンの押し方の態様の相違を認知することを特徴とする記録再生装置の制御方法。
【請求項１１】
請求項９に記載の記録再生装置の制御方法において、
前記ボタンが短い時間押される短押しと、比較的長い時間押される長押しとで、前記ボタンの押し方の態様の相違を認知することを特徴とする記録再生装置の制御方法。
【請求項１２】
請求項９に記載の記録再生装置の制御方法において、
前記ボタンが１回だけ押される１回押しと、２回連続して押される２回押しとで、前記ボタンの押し方の態様の相違を認知することを特徴とする記録再生装置の制御方法。
【請求項１３】
請求項９乃至１２のいずれか１項に記載の記録再生装置の制御方法において、
動画像情報の記録モードと再生モードとを設定する記録再生選択手段を設けて、記録モードが選択されている場合には、前記したボタンの押し方の態様の相違の認知結果と前記した現在の記録の状況の認知結果とに応じて、前記第１の圧縮形式の動画像情報の記録開始と記録停止及び前記第２の圧縮形式の動画像情報の記録開始と記録停止とを制御し、再生モードが選択されている場合には、前記したボタンの押し方の態様の相違の認知結果と現在の再生の状況の認知結果とに応じて、前記第１の圧縮形式の動画像情報の再生開始と再生停止及び前記第２の圧縮形式の動画像情報の再生開始と再生停止とを制御することを特徴とする記録再生装置の制御方法。
【発明の詳細な説明】
【０００１】
【発明の属する技術分野】
本発明は、動画像情報などを記録媒体に記録し、再生する記録再生装置およびその制御方法に関する。
【０００２】
【従来の技術】
近年、画像圧縮処理技術が進歩し、動画像情報を２種類の圧縮形式（例えば、ＭＰＥＧ４（Ｍｏｖｉｎｇ  Ｐｉｃｔｕｒｅ  Ｅｘｐｅｒｔｓ  Ｇｒｏｕｐ４）とＭＰＥＧ２（Ｍｏｖｉｎｇ  Ｐｉｃｔｕｒｅ  Ｅｘｐｅｒｔｓ  Ｇｒｏｕｐ２）のようにビットレート（符号化ビットレート）の異なる２種類の圧縮形式）に、同時に圧縮できる集積回路が製品化されている。このような集積回路を用いて、２種類の圧縮形式の動画像情報を記録できるようにした場合、例えば一方の圧縮形式でビットレートの高い高画質な動画像情報を記録し、他方の圧縮形式でビットレートの低い動画像情報を記録することができる。したがって、上記の他方の圧縮形式では、ユーザが特に高解像度を望まない被写体を長時間記録でき、この他方の圧縮形式による動画像情報の記録中（動画像撮影中）に、ユーザが高解像度で撮影したいと思うようなシーンに遭遇した場合には、観賞用として上記一方の圧縮形式によるビットレートの高い動画像情報を同時に記録することができる。
【０００３】
また、動画像撮影ボタン（動画撮影用レリーズスイッチ）と静止画像撮影ボタン（静止画撮影用レリーズスイッチ）とをもち、動画像撮影中に静止画像撮影ボタンを操作すると、動画像撮影中にもかかわらず、高画質な静止画像を撮影できるようにした電子カメラが知られている（特許文献１参照）。
【０００４】
【特許文献１】
特開２０００−３５２７５９号公報
【０００５】
【発明が解決しようとする課題】
しかしながら、２種類の圧縮形式の動画像情報を記録しようとした場合、ユーザの操作としては、一方の圧縮形式による記録開始と記録停止の操作、及び他方の圧縮形式による記録開始と記録停止の操作があり、上記した特許文献１に示された技術のように、撮影用のボタンを２つ備えた構成を採ると、ユーザの操作が煩雑になるという問題があり、また、撮影中にプッシュしやすい箇所に２つの撮影用のボタンを配設するのは、スペースファクター上の制約からその配置が難しくなるという問題もある。
【０００６】
本発明は上記の課題に鑑みてなされたものであり、本発明の目的とするところは、２種類の圧縮形式の動画像情報を記録、再生する際に、ユーザの操作が煩雑にならないように使い勝手に優れたものにし、また、操作用のボタンの数を最小限のものとして、ボタンの配置を容易なものとすることにある。
【０００７】
【課題を解決するための手段】
本発明は上記した目的を達成するためには、例えば、ボタンが半押しされたときに、第１の圧縮形式による動画像情報の記録を開始させ、ボタンが全押しされたときに、第２の圧縮形式による動画像情報の記録を開始させ、ボタンが再び全全押しされたときに、双方の圧縮形式による動画像情報の記録を停止させるようにする。
【０００８】
【発明の実施の形態】
以下、本発明の実施の形態を、図面を用いて説明する。
なお、本発明の各実施形態においては、記録再生装置は、第１の圧縮形式としてＭＰＥＧ４形式で動画像情報（動画像音声情報）を圧縮して、ＭＰＥＧ４の動画像情報をメモリカードに記録し、第２の圧縮形式としてＭＰＥＧ２形式で動画像情報（動画像音声情報）を圧縮して、ＭＰＥＧ２の動画像情報を光ディスクに記録する場合を例にとって説明するが、２つの圧縮形式は上記の例に限られるものではなく、また、記録媒体も上記の例に限られるものではない。
【０００９】
図１〜図４は、本発明の第１実施形態による記録再生装置に係り、図１は、本第１実施形態の記録再生装置の構成を示す図、図２は、本第１実施形態の記録再生装置の指示入力部における記録再生指示ボタンの操作状態を示す図、図３は、本第１実施形態の記録再生装置の指示入力部における記録再生選択スイッチの操作状態を示す図、図４は、本第１実施形態の記録再生装置のＬＣＤ（画像表示部）における再生ファイル選択用画面の１例を示す図である。
【００１０】
図１において、１は、図示せぬ撮影レンズを通して取り込まれる被写体の光学像を電気信号に変換し画像情報（ここでは動画像情報）として出力するＣＣＤ、２は、ＣＣＤ１から入力されたアナログの動画像情報をデジタル化するデジタル化回路、３は、デジタル化された動画像情報をＭＰＥＧ４形式で圧縮し、また、ＭＰＥＧ４形式の動画像情報を伸長する第１画像圧縮伸長回路、４は、デジタル化された動画像情報をＭＰＥＧ２形式で圧縮し、また、ＭＰＥＧ２形式の動画像情報を伸長する第２画像圧縮伸長回路、５はマイク、６は、マイクから入力されたアナログの音声情報をデジタル化するデジタル化回路、７は、デジタル化された音声情報をＭＰＥＧ４形式で圧縮し、また、ＭＰＥＧ４形式の音声情報を伸長する第１音声圧縮伸長回路、８は、デジタル化された音声情報をＭＰＥＧ２形式で圧縮し、また、ＭＰＥＧ２形式の音声情報を伸長する第２音声圧縮伸長回路、９は、第１画像圧縮伸長回路３から出力されたＭＰＥＧ４形式の動画像情報と第１音声圧縮伸長回路７から出力されたＭＰＥＧ４形式の音声情報とを多重化し、また、後記第１記録再生回路１３から出力される再生動画像音声情報をＭＰＥＧ４形式の動画像情報とＭＰＥＧ４形式の音声情報とに分離する第１多重分離回路、１０は、第２画像圧縮伸長回路４から出力されたＭＰＥＧ２形式の動画像情報と第２音声圧縮伸長回路８から出力されたＭＰＥＧ２形式の音声情報とを多重化し、また、後記第２記録再生回路１５から出力される再生動画像音声情報をＭＰＥＧ２形式の動画像情報とＭＰＥＧ２形式の音声情報とに分離する第２多重分離回路、１１は、第１多重分離回路９から出力される動画像音声情報を一時的に格納する第１バッファメモリ（第１バッファメモリ１１は、記録以外の他の処理動作の際のバッファとしても利用可能としてもよい）、１２は、第２多重分離回路１０から出力される動画像音声情報を一時的に格納する第２バッファメモリ（第２バッファメモリ１２は、記録以外の他の処理動作の際のバッファとしても利用可能としてもよい）、１３は、第１バッファメモリ１１に一時記録されたＭＰＥＧ４形式の動画像音声情報をメモリカード１４に記録し、また、メモリカード１４に記録された動画像音声情報を再生する第１記録再生回路、１５は、第２バッファメモリ１２に一時記録されたＭＰＥＧ２形式の動画像音声情報をピックアップ１６を介して光ディスク１７に記録し、また、光ディスク１７に記録された動画像音声情報をピックアップを介して再生する第２記録再生回路、１８は、記録再生装置全体の統括制御を司り、記録再生装置内の各部の動作を制御する制御回路、１９は、ユーザが入力操作を行なって、所定の指示を制御回路１８に与えるための指示入力部、２０は、第１画像圧縮伸長回路３が伸長したデジタルの動画像情報または第２画像圧縮伸長回路４が伸長したデジタルの動画像情報などを、アナログの画像情報に変換するアナログ化回路、２１は、アナログ化回路２０から出力される画像情報を表示するＬＣＤ、２２は、第１画像圧縮伸長回路３が伸長したデジタルの音声情報または第２画像圧縮伸長回路４が伸長したデジタルの音声情報などを、アナログの音声情報に変換するアナログ化回路、２３は、アナログ化回路２２から出力される音声情報を音声出力するスピーカである。
【００１１】
また、指示入力部１９には、ユーザが記録の開始と終了、及び再生の開始と終了を指示するための記録再生指示ボタン１９ａと、ユーザが記録モードまたは再生モードを選択するための記録再生選択スイッチ１９ｂとが、含まれている。
【００１２】
記録再生指示ボタン１９ａは、ノンロックの２段押し込み感知タイプの押しボタンスイッチからなっており、記録再生指示ボタン１９ａの押杆が図示せぬ復帰バネの力で復帰した第２図の（ａ）の状態から、図２の（ｂ）に示すように、記録再生指示ボタン１９ａの押杆が半押しされたときに閉成される接点構造と、図２の（ｃ）に示すように、押杆が全押しされたときに閉成される接点構造とをもつスイッチとなっており、この記録再生指示ボタン１９ａの半押しまたは全押しは、制御回路１８で検出・認知されるようになっている。なお、記録再生指示ボタン１９ａの押杆は半押し状態または全押し状態から、手指などによる押圧を解除されると、図示せぬ復帰バネの力で第２図の（ａ）の状態に復帰するようになっている。本第１実施形態では、後述する記録再生選択スイッチ１９ｂによって記録モードが選択された状態では、非記録時に、記録再生指示ボタン１９ａを半押しすると、第１の圧縮形式の動画像情報（動画像音声情報）の記録が開始され、この第１の圧縮形式の動画像情報の記録中に、記録再生指示ボタン１９ａを全押しすると、第１の圧縮形式の動画像情報の記録を継続させながら、第２の圧縮形式の動画像情報（動画像音声情報）の記録が開始され、この第１の圧縮形式及び第２の圧縮形式の動画像情報の記録中に、記録再生指示ボタン１９ａを再び全押しすると、第１の圧縮形式及び第２の圧縮形式の動画像情報の記録が停止されるようになっている。なお、記録再生選択スイッチ１９ｂによって記録モードが選択された状態では、非記録時に、記録再生指示ボタン１９ａを全押しすると、第１の圧縮形式の動画像情報の記録と第２の圧縮形式の動画像情報の記録とが開始され、この第１の圧縮形式及び第２の圧縮形式の動画像情報の記録中に、記録再生指示ボタン１９ａを再び全押しすると、第１の圧縮形式及び第２の圧縮形式の動画像情報の記録が停止されるようになっている。なおまた、第１の圧縮形式の動画像情報の記録中に、記録再生指示ボタン１９ａを２回全押しすると、第１の圧縮形式の動画像情報の記録が停止されるようになっている。
【００１３】
また、記録再生選択スイッチ１９ｂは、３ポジションロックタイプのスライドスイッチ（記録再生選択スイッチ１９ｂの操作つまみが、３つのスライド位置において、節度機構などにより軽い力でロック・位置決めされるスライドスイッチ）からなっており、記録再生選択スイッチ１９ｂの操作つまみの位置に応じて切り換わる接点構造をもち、この記録再生選択スイッチ１９ｂによる切り換え状態は、制御回路１８で検出・認知されるようになっている。この記録再生選択スイッチ１９ｂは、その操作つまみが図３の（ａ）に示すように中立位置にある際には、記録／再生を選択しないモードとなり、操作つまみが図３の（ｂ）に示すように図示で左寄り位置にある際には、記録モードの選択状態となり、操作つまみが図３の（ｃ）に示すように図示で右寄り位置にある際には、再生モードの選択状態となるようになっている。
【００１４】
上記した構成をとる本第１実施形態において、記録再生装置に電源が入り、ユーザが指示入力部１９から第１の圧縮形式の動画像情報（動画像音声情報）の記録開始の指示を行うと、つまり、ユーザが記録再生選択スイッチ１９ｂを図３の（ｂ）のような状態にし、記録再生指示ボタン１９ａを図２の（ｂ）のように半押しすると、第１の圧縮形式の動画像情報の記録を開始する。すなわち、制御回路１８は、記録モードが選択された状態で記録再生指示ボタン１９ａが半押しされたことを認知して、これにより制御回路１８は、ＣＣＤ１から入力された動画像情報をデジタル化回路２にデジタル化させ、第１画像圧縮伸長回路３にＭＰＥＧ４による圧縮をさせる。また、制御回路１８は、マイク５から入力された音声情報をデジタル化回路６にデジタル化させ、第１音声圧縮伸長回路７にＭＰＥＧ４による圧縮をさせる。また、制御回路１８は、第１多重分離回路９に、第１画像圧縮伸長回路３より出力された動画像情報と第１音声圧縮伸長回路７より出力された音声情報とを多重化させ、多重化された画像音声情報を第１バッファメモリ１１に一時的に記録させる。そして、制御回路１８は、第１バッファメモリ１１に一時的に記録された画像音声情報が予め定めた所定の設定量を超えたら、第１記録再生回路１３によりメモリカード１４に、第１バッファメモリ１１に一時的に記録された画像音声情報を記録させる。なお、記録再生指示ボタン１９ａの押杆は半押しされた後、手指などによる押圧が解除されて、図示せぬ復帰バネの力で図２の（ａ）の状態に復帰する。
【００１５】
次に、上記した第１の圧縮形式の動画像情報の記録中に、ユーザが指示入力部１９から第２の圧縮形式の動画像情報（動画像音声情報）の記録開始の指示を行うと、つまり、ユーザが記録再生指示ボタン１９ａを図２の（ｃ）のように全押しすると、第２の圧縮形式の動画像情報の記録を開始する。すなわち、制御回路１８は、第１の圧縮形式の動画像情報の記録中に記録再生指示ボタン１９ａが全押しされたことを認知して、これにより制御回路１８は、デジタル化回路２がデジタル化した動画像情報を、第２画像圧縮伸長回路４にＭＰＥＧ２による圧縮をさせ、また、デジタル化回路６がデジタル化した音声情報を、第２音声圧縮伸長回路８にＭＰＥＧ２による圧縮をさせる。また、制御回路１８は、第２多重分離回路１０に、第２画像圧縮伸長回路４より出力された動画像情報と第２音声圧縮伸長回路８より出力された音声情報とを多重化させ、多重化された画像音声情報を第２バッファメモリ１２に一時的に記録させる。そして、制御回路１８は、第２バッファメモリ１２に一時的に記録された画像音声情報が予め定めた所定の設定量を超えたら、第２記録再生回路１５によりピックアップ１６を介して、光ディスク１７に第２バッファメモリ１２に一時的に記録された画像音声情報を記録させる。この第２の圧縮形式の動画像情報の記録動作中には、第１の圧縮形式の動画像情報の記録動作も継続している。なお、記録再生指示ボタン１９ａの押杆は全押しされた後、手指などによる押圧が解除されて、図示せぬ復帰バネの力で図２の（ａ）の状態に復帰する。
【００１６】
なお、本第１実施形態においては、記録再生指示ボタン１９ａは必ず半押し状態を経て全押し状態に至るので、記録再生選択スイッチ１９ｂによって記録モードが選択された状態で、かつ、動画像情報の記録開始の指示が未だなされていない状態で、記録再生指示ボタン１９ａが全押しされると、第１の圧縮形式の動画像情報の記録と、第２の圧縮形式の動画像情報の記録とが、同時に開始されるようになっている。
【００１７】
次に、上記した第１の圧縮形式及び第２の圧縮形式の動画像情報の記録中に、ユーザが指示入力部１９から記録停止の指示を行うと、つまり、ユーザが記録再生指示ボタン１９ａを図２の（ｃ）のように再度全押しすると、第１の圧縮形式の動画像情報の記録及び第２の圧縮形式の動画像情報の記録を停止する。すなわち、制御回路１８は、第１の圧縮形式及び第２の圧縮形式の動画像情報の記録中に記録再生指示ボタン１９ａが全押しされたことを認知して、これにより制御回路１８は、動画像情報の記録を停止するように、デジタル化回路２、第１画像圧縮伸長回路３、第２画像圧縮伸長回路４、デジタル化回路６、第１音声圧縮伸長回路７、第２音声圧縮伸長回路８、第１多重分離回路９、第２多重分離回路１０、第１バッファメモリ１１、第２バッファメモリ１２、第１記録再生回路１３、第２記録再生回路１５などを制御する。
【００１８】
なお、本第１実施形態においては、第１の圧縮形式の動画像情報のみの記録中に記録停止をさせる際には、ユーザが記録再生指示ボタン１９ａを２回続けて全押しするようにされる。
【００１９】
続いて、メモリカード１４や光ディスク１７に記録された動画像情報（動画像音声情報）の再生動作について説明をする。再生時には、ユーザが記録再生選択スイッチ１９ｂを図３の（ｃ）に示す状態に切り換えて、再生モードを選択する。
【００２０】
再生モードが選択されると、図４に示すように、ＬＣＤ２１上には、メモリカード１４に記憶された動画像情報の各ファイルの代表画面（例えば、先頭画面）をサムネイル画像４１として複数表示した、再生ファイル選択用画面が表示される。サムネイル画像４１群は、ユーザが指示入力部１９の図示せぬスクロールバー操作キーを操作して、スクロールバー４２を移動させることによりスクロールされる。
【００２１】
図４に示した再生ファイル選択用画面において、ユーザが指示入力部１９の図示せぬカーソル操作キーを操作することにより、サムネイル画像４１のいずれかにカーソルを合わせ、記録再生指示ボタン１９ａを半押しすると、選択されたサムネイル画像４１に対応する第１の圧縮形式の動画像情報ファイルの再生を開始する（なお、再生ファイル選択用画面には、カーソルで選択されたサムネイル画像４１に対応するファイルの識別用付帯情報４３が表示されると共に、カーソルで選択されたサムネイル画像４１に対応する第２の圧縮形式の動画像情報ファイルが、光ディスク１７に存在する場合には、ディスクアイコン４４を点滅または色切り換えまたは明暗反転表示させる）。すなわち、上記したユーザ操作によって、制御回路１８は、メモリカード１４に記録されている第１の圧縮形式のファイル群の中から選択されたファイルに対応する動画像音声情報を、第１記録再生回路１３によって再生させ、再生された動画像音声情報を、第１多重分離化回路９によって動画像情報と音声情報とに分離させ、動画像情報は第１画像圧縮伸長回路３によって伸長させ、音声情報は第１音声圧縮伸長回路７によって伸長させる。そして、制御回路１８は、伸長された動画像情報をアナログ化回路２０にアナログ化させ、ＬＣＤ２１に動画像を全面表示させ、また、伸長された音声情報をアナログ化回路２２によりアナログ化させ、スピーカ２３に出力させる。
【００２２】
次に、上記した第１の圧縮形式の動画像情報ファイルの再生中に、ユーザが指示入力部１９から第２の圧縮形式の動画像情報の再生指示を行うと、ここでは、ユーザが記録再生指示ボタン１９ａを全押しすると、第２の圧縮形式の動画像情報の再生を開始する。すなわち、上記したユーザ操作によって、制御回路１８は、メモリカード１４に記録されている動画像音声情報の再生を停止し、この再生を停止させたファイルに対応して光ディスク１７に記録されている第２の圧縮形式のファイルの動画像音声情報を、ピックアップ１６を介して第２記録再生回路１５によって再生させ、再生された動画像音声情報を第２多重分離化回路１０によって動画像情報と音声情報とに分離させ、動画像情報は第２画像圧縮伸長回路４に伸長させ、音声情報は第２音声圧縮伸長回路８に伸長させる。そして、制御回路１８は、伸長された動画像情報をアナログ化回路２０にアナログ化させ、ＬＣＤ２１に動画像を全面表示させ、また、伸長された音声情報をアナログ化回路２２によりアナログ化させ、スピーカ２３に出力させる。
【００２３】
また、図４に示した再生ファイル選択用画面において、ユーザが指示入力部１９の図示せぬカーソル操作キーを操作することにより、サムネイル画像４１のいずれかにカーソルを合わせ、記録再生指示ボタン１９ａを全押しすると、選択されたサムネイル画像４１に対応する第２の圧縮形式の動画像情報ファイルの再生を開始する。
【００２４】
ここで、第１の圧縮形式の動画像情報ファイルの再生中に、ユーザが指示入力部１９から第２の圧縮形式の動画像情報の再生指示を行った場合において、光ディスク１７に対応するファイルの動画像音声情報が記録されていない際には、制御回路１８は、メモリカード１４に記録されている動画像音声情報の再生を継続して、ＬＣＤ２１上に、光ディスク１７に対応するファイルが記録されていない旨をテキストでＯＳＤ表示させる。また、当初から第２の圧縮形式の動画像情報の再生指示を行った場合において、光ディスク１７に対応するファイルの動画像音声情報が記録されていない際には、制御回路１８は、再生動作を行なわず、ＬＣＤ２１上に、光ディスク１７に対応するファイルが記録されていない旨をテキストでＯＳＤ表示させるようになっている。
【００２５】
なお、第２の圧縮形式の動画像情報の再生中に、ユーザが記録再生指示ボタンを１９ａを半押しすると、第２の圧縮形式の動画像情報の再生を停止させ、第１の圧縮形式の動画像情報の再生を行なうようになっている。
【００２６】
そして、１つのファイルの動画像情報（動画像音声情報）の再生が完了すると、制御回路１８は、ＬＣＤ２１に図４に示した再生ファイル選択用画面を表示させる。
【００２７】
また、第２の圧縮形式の動画像情報ファイルの再生中に、再生を停止させるときには、記録再生指示ボタン１９ａを再度全押しし、第１の圧縮形式の動画像情報ファイルの再生中に、再生を停止させるときには、記録再生指示ボタン１９ａを２回全押しし、これにより、制御回路１８は再生停止指令と認知して、再生を停止させ、ＬＣＤ２１に図４に示した再生ファイル選択用画面を表示させるようになっている。
【００２８】
ここで、本第１実施形態並びに後述する各実施形態においては、ユーザが、現在どの圧縮形式の画像圧縮・伸長（記録・再生）が行なわれているかを一目で判別できるように、記録再生指示ボタン１９ａの近傍にＬＥＤを設けて、点灯している色によってどの圧縮形式の記録・再生かを見分けられるようにしている。
【００２９】
以上のように、本第１実施形態では、単一のボタン（記録再生指示ボタン１９ａ）の操作によって、第１の圧縮形式による記録開始と記録停止、及び第２の圧縮形式による記録開始と記録停止を指示することができ、しかも、その操作は簡単・容易なものなので、ユーザフレンドリィな使い勝手の良い装置とすることがことができる。さらに、単一のボタン（記録再生指示ボタン１９ａ）の操作によって、第１の圧縮形式による再生開始と再生停止、及び第２の圧縮形式による再生開始と再生停止を指示することができ、しかも、その操作は同様に簡単・容易なものなので、同様に、ユーザフレンドリィな使い勝手の良い装置とすることがことができる。しかも、第１の圧縮形式による記録開始、記録停止と、第１の圧縮形式による再生開始と再生停止とを同様の操作で行ない、第２の圧縮形式による記録開始、記録停止と、第２の圧縮形式による再生開始と再生停止とを同様の操作で行なうようにしているので、ユーザが誤りのない操作を行なうことができる。さらにまた、単一のボタン（記録再生指示ボタン１９ａ）を多用途利用し、このボタンは単一であるのでその配置スペースの確保が容易で、ユーザにとって最も使いよい位置に容易に配置することができ、しかも、ボタン点数の削減にも貢献する。
【００３０】
次に、本発明の第２実施形態について説明する。図５は、本発明の第２実施形態に係る記録再生装置の構成を示す図で、同図において、図１と均等な構成要素には同一符号を付し、その説明は重複を避けるため割愛する。
【００３１】
本第２実施形態の記録再生装置が前記第１実施形態の記録再生装置と相違するのは、本第２実施形態では、図１の構成から第１記録再生装置１３及びメモリカード１４を省き、光ディスク１７に動画像情報（動画像音声情報）を記録、再生する記録再生回路２４に、第１の圧縮形式の動画像情報の記録・再生機能と第２の圧縮形式の動画像情報の記録・再生機能とを担わせた点にある。
【００３２】
本第２実施形態において、記録モードを選択した状態において、ユーザが第１の圧縮形式の動画像情報、あるいは第２の圧縮形式の動画像情報の記録指示を、指示入力部１９の記録再生指示ボタン１９ａによって、前記第１実施形態と同様に行なうと、第１の圧縮形式の動画像情報の記録指示時には、第１の圧縮形式の動画像情報（動画像音声情報）を第１バッファメモリ１１に一時記録し、また、第２の圧縮形式の動画像情報の記録指示時には、第１の圧縮形式の動画像情報（動画像音声情報）を第１バッファメモリ１１に一時記録すると同時に、第２の圧縮形式の動画像情報（動画像音声情報）を第２バッファメモリ１２に一時記録するまでの動作は、前記した第１実施形態と同様である。そして、制御回路１８は、第１バッファメモリ１１に記録している動画像音声情報の量と、第２バッファメモリ１２に記録している動画像音声情報の量を、バッファオーバーフローしないように制御しながら、記録再生回路２４にそれぞれのバッファメモリ内の動画像音声情報を、ピックアップ１６を介して光ディスク１７の別々の領域に記録させる。
【００３３】
なお、第１の圧縮形式の動画像情報と第２の圧縮形式の動画像情報を記録する手段は、ピックアップ１６及び光ディスク１７に代替して、メモリカード１４としてもよい。
【００３４】
また、本第２実施形態における再生時のユーザ操作は、前記第１実施形態と同様である。
【００３５】
このような構成をとる本第２実施形態においても、先の第１実施形態と同様の効果を奏する。また、本第２実施形態では記録媒体が１つで済むので、コストダウンを図ることができる。
【００３６】
次に、本発明の第３実施形態について、図１、図３、図４、図６を用いて説明する。図６は、本第３実施形態における指示入力部１９の記録再生指示ボタン１９ａ’の操作と、第１の圧縮形式の動画像情報（動画像音声情報）の記録動作、及び第２の圧縮形式の動画像情報（動画像音声情報）の記録動作との、関係を示したものである。図６では、先の実施形態と同様に、第１の圧縮形式の動画像情報をＭＰＥＧ４、第２の圧縮形式の動画像情報をＭＰＥＧ２としている。
【００３７】
本第３実施形態の記録再生装置の構成は、指示入力部１９の記録再生指示ボタン１９ａ’が図１の第１実施形態と異なる点を除いて、他は前記第１実施形態と同様である。本第３実施形態の記録再生指示ボタン１９ａ’は、ノンロックタイプの一般的な押しボタンスイッチからなっており、記録再生指示ボタン１９ａ’の押杆が図示せぬ復帰バネの力で復帰した図６の実線図示の状態から、図６の破線図示図２の押し込み位置をとった際に閉成される接点構造をもつものとなっている。本第３実施形態では、記録再生指示ボタン１９ａ’が短い時間押されたか、比較的に長い時間押されたかを、制御回路１８が検出・認知して、これにより第１の圧縮形式及び第２の動画像情報の記録開始、記録停止や、第１の圧縮形式及び第２の動画像情報の再生開始、再生停止を制御するようになっている。
【００３８】
次に、本第３実施形態の動作を説明する。記録時には、ユーザが記録再生選択スイッチ１９ｂを図３の（ｂ）のような状態にして、記録モードを選択するのは先と同様である。図６の（ａ）〜（ｄ）は、本第３実施形態の記録操作・記録制御動作の第１例〜第４例をそれぞれ示している。まず、図６の（ａ）の第１例について説明する。
【００３９】
図６の（ａ）の最初の操作のように、ユーザが記録再生指示ボタン１９ａ’を短い時間押すと（短押しすると）、制御回路１８は、第１の圧縮形式の動画像情報（動画像音声情報）の記録開始の指示と認知して、メモリカード１４への第１の圧縮形式の動画像情報の記録を開始する。すなわち、制御回路１８は、ＣＣＤ１から入力された動画像情報及びマイク５から入力された音声情報を、第１の圧縮形式の動画像情報（動画像音声情報）に変換し、メモリカード１４に記録するように、デジタル化回路２、第１画像圧縮伸長回路３、デジタル化回路６、第１音声圧縮伸長回路７、第１多重分離回路９、第１バッファメモリ１１、第１記録再生回路１３を、第１実施形態と同様に動作させる。
【００４０】
次に、図６の（ａ）の２番目の操作のように、ユーザが記録再生指示ボタン１９ａ’を例えば０．５〜１秒程度以上の時間押すと（長押しすると）、制御回路１８は、第２の圧縮形式の動画像情報（動画像音声情報）の記録開始の指示と認知して、光ディスク１７への第２の圧縮形式の動画像情報の記録を開始する。すなわち、制御回路１８は、デジタル化回路２、第２画像圧縮伸長回路４、デジタル化回路６、第２音声圧縮伸長回路８、第２多重分離回路１０、第２バッファメモリ１２、第２記録再生回路１５、ピックアップ１６、光ディスク駆動部を、第１実施形態と同様に動作させる。なお、この第２の圧縮形式の動画像情報の記録中にも、第１の圧縮形式の動画像情報の記録が継続している。
【００４１】
次に、図６の（ａ）の３番目の操作のように、ユーザが記録再生指示ボタン１９ａ’を長押しすると、制御回路１８は、第２の圧縮形式の動画像情報の記録停止の指示と認知して、第２の圧縮形式の動画像情報の記録を停止する。すなわち、制御回路１８は、第２の圧縮形式の動画像情報の記録を停止させるように、第２画像圧縮伸長回路４、第２音声圧縮伸長回路８、第２多重分離回路１０、第２バッファメモリ１２、第２記録再生回路１５などを制御する。このとき、第１の圧縮形式の動画像情報の記録は引き続き行っているので、デジタル化回路２及びデジタル化回路６は停止させない。
【００４２】
次に、図６の（ａ）の４番目の操作のように、ユーザが記録再生指示ボタン１９ａ’を短押しすると、制御回路１８は、第１の圧縮形式の動画像情報の記録停止の指示と認知して、第１の圧縮形式の動画像情報の記録を停止する。すなわち、制御回路１８は、第１の圧縮形式の動画像情報の記録を停止させるように、第１画像圧縮伸長回路３、第１音声圧縮伸長回路７、第１多重分離回路９、第１バッファメモリ１１、第１記録再生回路１３を制御する。また、第２の圧縮形式の動画像情報の記録は行われていないので、デジタル化回路２及びデジタル化回路６もその動作を停止させる。
【００４３】
なお、本第１例では、記録再生指示ボタン１９ａ’の短押しで第１の圧縮形式の動画像情報の記録開始、記録停止の指示を行ない、記録再生指示ボタン１９ａ’の長押しで第２の圧縮形式の動画像情報の記録開始、記録停止の指示を行なうようにしているが、記録再生指示ボタン１９ａ’の長押しで第１の圧縮形式の動画像情報の記録開始、記録停止の指示を行ない、記録再生指示ボタン１９ａ’の短押しで第２の圧縮形式の動画像情報の記録開始、記録停止の指示を行なうようにしてもよい（これは、以下の第２例〜第４例においても同様である）。短押しで記録開始を指示する方が、シャッタチャンスを逃さないので、第１の圧縮形式の動画像情報の記録と第２の圧縮形式の動画像情報の記録のいずれのシャッタチャンスを重視するかによって、これを決定するようにすればよい。
【００４４】
続いて、本第３実施形態の記録操作・記録制御動作の第２例を、図６の（ｂ）によって説明する。
【００４５】
まず、図６の（ｂ）の最初の操作のように、ユーザが記録再生指示ボタン１９ａ’を短押しすると、制御回路１８は、第１の圧縮形式の動画像情報（動画像音声情報）の記録開始の指示と認知して、メモリカード１４への第１の圧縮形式の動画像情報の記録を開始する。すなわち、制御回路１８は、ＣＣＤ１から入力された動画像情報及びマイク５から入力された音声情報を、第１の圧縮形式の動画像情報（動画像音声情報）に変換し、メモリカード１４に記録するように、デジタル化回路２、第１画像圧縮伸長回路３、デジタル化回路６、第１音声圧縮伸長回路７、第１多重分離回路９、第１バッファメモリ１１、第１記録再生回路１３を、第１実施形態と同様に動作させる。
【００４６】
次に、図６の（ｂ）の２番目の操作のように、ユーザが記録再生指示ボタン１９ａ’を長押しすると、制御回路１８は、第２の圧縮形式の動画像情報（動画像音声情報）の記録開始の指示と認知して、光ディスク１７への第２の圧縮形式の動画像情報の記録を開始する。すなわち、制御回路１８は、デジタル化回路２、第２画像圧縮伸長回路４、デジタル化回路６、第２音声圧縮伸長回路８、第２多重分離回路１０、第２バッファメモリ１２、第２記録再生回路１５、ピックアップ１６、光ディスク駆動部を、第１実施形態と同様に動作させる。なお、この第２の圧縮形式の動画像情報の記録中にも、第１の圧縮形式の動画像情報の記録は継続している。
【００４７】
次に、図６の（ｂ）の３番目の操作のように、ユーザが記録再生指示ボタン１９ａ’を短押しすると、制御回路１８は、第１の圧縮形式の動画像情報の記録停止の指示と認知して、第１の圧縮形式の動画像情報の記録を停止する。すなわち、制御回路１８は、第１の圧縮形式の動画像情報の記録を停止させるように、第１画像圧縮伸長回路３、第１音声圧縮伸長回路７、第１多重分離回路９、第１バッファメモリ１１、第１記録再生回路１３を制御する。このとき、第２の圧縮形式の動画像情報の記録は引き続き行っているので、デジタル化回路２及びデジタル化回路６は停止させない。
【００４８】
次に、図６の（ｂ）の４番目の操作のように、ユーザが記録再生指示ボタン１９ａ’を長押しすると、制御回路１８は、第２の圧縮形式の動画像情報（動画像音声情報）の記録停止の指示と認知して、第２の圧縮形式の動画像情報の記録を停止する。すなわち、制御回路１８は、第２の圧縮形式の動画像情報の記録を停止させるように、第２画像圧縮伸長回路４、第２音声圧縮伸長回路８、第２多重分離回路１０、第２バッファメモリ１２、第２記録再生回路１５などを制御する。また、第１の圧縮形式の動画像情報の記録は行われていないので、デジタル化回路２及びデジタル化回路６もその動作を停止させる。
【００４９】
続いて、本第３実施形態の記録操作・記録制御動作の第３例を、図６の（ｃ）によって説明する。
【００５０】
まず、図６の（ｃ）の最初の操作のように、ユーザが記録再生指示ボタン１９ａ’を長押しすると、制御回路１８は、第２の圧縮形式の動画像情報（動画像音声情報）の記録開始の指示と認知して、光ディスク１７への第２の圧縮形式の動画像情報の記録を開始する。すなわち、制御回路１８は、ＣＣＤ１から入力された動画像情報及びマイク５から入力された音声情報を、第２の圧縮形式の動画像情報（動画像音声情報）に変換し、光ディスク１７に記録するように、デジタル化回路２、第２画像圧縮伸長回路４、デジタル化回路６、第２音声圧縮伸長回路８、第２多重分離回路１０、第２バッファメモリ１２、第２記録再生回路１５、ピックアップ１６、光ディスク駆動部を、第１実施形態と同様に動作させる。
【００５１】
次に、図６の（ｃ）の２番目の操作のように、ユーザが記録再生指示ボタン１９ａ’を短押しすると、制御回路１８は、第１の圧縮形式の動画像情報（動画像音声情報）の記録開始の指示と認知して、メモリカード１４への第１の圧縮形式の動画像情報の記録を開始する。すなわち、制御回路１８は、デジタル化回路２、第１画像圧縮伸長回路３、デジタル化回路６、第１音声圧縮伸長回路７、第１多重分離回路９、第１バッファメモリ１１、第１記録再生回路１３を、第１の実施形態と同様に動作させる。なお、この第１の圧縮形式の動画像情報の記録中にも、第２の圧縮形式の動画像情報の記録が継続している。
【００５２】
次に、図６の（ｃ）の３番目の操作のように、ユーザが記録再生指示ボタン１９ａ’を短押しすると、制御回路１８は、第１の圧縮形式の動画像情報の記録停止の指示と認知して、第１の圧縮形式の動画像情報の記録を停止する。すなわち、制御回路１８は、第１の圧縮形式の動画像情報の記録を停止させるように、第１画像圧縮伸長回路３、第１音声圧縮伸長回路７、第１多重分離回路９、第１バッファメモリ１１、第１記録再生回路１３を制御する。このとき、第２の圧縮形式の動画像情報の記録は引き続き行っているので、デジタル化回路２及びデジタル化回路６は停止させない。
【００５３】
次に、図６の（ｃ）の４番目の操作のように、ユーザが記録再生指示ボタン１９ａ’を長押しすると、制御回路１８は、第２の圧縮形式の動画像情報の記録停止の指示と認知して、第２の圧縮形式の動画像情報の記録を停止する。すなわち、制御回路１８は、第２の圧縮形式の動画像情報の記録を停止させるように、第２画像圧縮伸長回路４、第２音声圧縮伸長回路８、第２多重分離回路１０、第２バッファメモリ１２、第２記録再生回路１５などを制御する。また、第１の圧縮形式の動画像情報の記録は行われていないので、デジタル化回路２及びデジタル化回路６もその動作を停止させる。
【００５４】
続いて、本第３実施形態の記録操作・記録制御動作の第４例を、図６の（ｄ）によって説明する。
【００５５】
まず、図６の（ｄ）の最初の操作のように、ユーザが記録再生指示ボタン１９ａ’を長押しすると、制御回路１８は、第２の圧縮形式の動画像情報（動画像音声情報）の記録開始の指示と認知して、光ディスク１７への第２の圧縮形式の動画像情報の記録を開始する。すなわち、制御回路１８は、ＣＣＤ１から入力された動画像情報及びマイク５から入力された音声情報を、第２の圧縮形式の動画像情報（動画像音声情報）に変換し、光ディスク１７に記録するように、デジタル化回路２、第２画像圧縮伸長回路４、デジタル化回路６、第２音声圧縮伸長回路８、第２多重分離回路１０、第２バッファメモリ１２、第２記録再生回路１５、ピックアップ１６、光ディスク駆動部を、第１実施形態と同様に動作させる。
【００５６】
次に、図６の（ｄ）の２番目の操作のように、ユーザが記録再生指示ボタン１９ａ’を短押しすると、制御回路１８は、第１の圧縮形式の動画像情報（動画像音声情報）の記録開始の指示と認知して、メモリカード１４への第１の圧縮形式の動画像情報の記録を開始する。すなわち、制御回路１８は、デジタル化回路２、第１画像圧縮伸長回路３、デジタル化回路６、第１音声圧縮伸長回路７、第１多重分離回路９、第１バッファメモリ１１、第１記録再生回路１３を、第１の実施形態と同様に動作させる。なお、この第１の圧縮形式の動画像情報の記録中にも、第２の圧縮形式の動画像情報の記録は継続している。
【００５７】
次に、図６の（ｄ）の３番目の操作のように、ユーザが記録再生指示ボタン１９ａ’を長押しすると、制御回路１８は、第２の圧縮形式の動画像情報の記録停止の指示と認知して、第２の圧縮形式の動画像情報の記録を停止する。すなわち、制御回路１８は、第２の圧縮形式の動画像情報の記録を停止させるように、第２画像圧縮伸長回路４、第２音声圧縮伸長回路８、第２多重分離回路１０、第２バッファメモリ１２、第２記録再生回路１５などを制御する。このとき、第１の圧縮形式の動画像情報の記録は引き続き行っているので、デジタル化回路２及びデジタル化回路６は停止させない。
【００５８】
次に、図６の（ｄ）の４番目の操作のように、ユーザが記録再生指示ボタン１９ａ’を短押しすると、制御回路１８は、第１の圧縮形式の動画像情報の記録停止の指示と認知して、第１の圧縮形式の動画像情報の記録を停止する。すなわち、制御回路１８は、第１の圧縮形式の動画像情報の記録を停止させるように、第１画像圧縮伸長回路３、第１音声圧縮伸長回路７、第１多重分離回路９、第１バッファメモリ１１、第１記録再生回路１３を制御する。また、第２の圧縮形式の動画像情報の記録は行われていないので、デジタル化回路２及びデジタル化回路６もその動作を停止させる。
【００５９】
次に、本第３実施形態において、メモリカード１４や光ディスク１７に記録された動画像情報（動画像音声情報）の再生について説明する。再生時には、ユーザが記録再生選択スイッチ１９ｂを図３の（ｃ）のような状態にして、再生モードを選択するのは先と同様である。
【００６０】
再生モードが選択されると、本第３実施形態においても、前記した図４に示すような再生ファイル選択用画面が、ＬＣＤ２１上に表示される。図４に示した再生ファイル選択用画面において、ユーザが指示入力部１９の図示せぬカーソル操作キーを操作することにより、サムネイル画像４１のいずれかにカーソルを合わせ、記録再生指示ボタン１９ａ’を短押しすると、選択されたサムネイル画像４１に対応する第１の圧縮形式の動画像情報ファイルの再生を開始する。すなわち、上記したユーザ操作によって、制御回路１８は、メモリカード１４に記録されている第１の圧縮形式のファイル群の中から選択されたファイルに対応する動画像音声情報を、第１記録再生回路１３によって再生させ、再生された動画像音声情報を、第１多重分離化回路９によって動画像情報と音声情報とに分離させ、動画像情報は第１画像圧縮伸長回路３によって伸長させ、音声情報は第１音声圧縮伸長回路７によって伸長させる。そして、制御回路１８は、伸長された動画像情報をアナログ化回路２０にアナログ化させ、ＬＣＤ２１に動画像を全面表示させ、また、伸長された音声情報をアナログ化回路２２によりアナログ化させ、スピーカ２３に出力させる。
【００６１】
また、図４に示した再生ファイル選択用画面において、ユーザが指示入力部１９の図示せぬカーソル操作キーを操作することにより、サムネイル画像４１のいずれかにカーソルを合わせ、記録再生指示ボタン１９ａ’を長押しすると、選択されたサムネイル画像４１に対応する第２の圧縮形式の動画像情報ファイルの再生を開始する。すなわち、上記したユーザ操作によって、制御回路１８は、光ディスク１７に記録されている第２の圧縮形式のファイル群の中から選択されたファイルに対応する動画像音声情報を、ピックアップ１６を介して第２記録再生回路１５によって再生させ、再生された動画像音声情報を、第２多重分離化回路１０によって動画像情報と音声情報とに分離させ、動画像情報は第２画像圧縮伸長回路４によって伸長させ、音声情報は第２音声圧縮伸長回路８によって伸長させる。そして、制御回路１８は、伸長された動画像情報をアナログ化回路２０にアナログ化させ、ＬＣＤ２１に動画像を全面表示させ、また、伸長された音声情報をアナログ化回路２２によりアナログ化させ、スピーカ２３に出力させる。
【００６２】
なお、本第３実施形態においては、第２の圧縮形式の動画像情報（動画像音声情報）の再生中に、ユーザが記録再生指示ボタン１９ａ’を短押しすると、再生中の第２の圧縮形式の動画像情報を第１の圧縮形式の動画像情報（動画像音声情報）に変換して、これを同時に記録開始させるようにしてもよい。すなわち、制御回路１８は、第２画像圧縮伸長回路４で伸長した画像情報を第１画像圧縮伸長回路３によってＭＰＥＧ４の圧縮を行なわせ、第２音声圧縮伸長回路８で伸長した音声情報を第１音声圧縮伸長回路７によってＭＰＥＧ４の圧縮を行なわせて、第１多重分離回路９に、第１画像圧縮伸長回路３より出力された動画像情報と第１音声圧縮伸長回路７より出力された音声情報とを多重化させ、多重化された画像音声情報を第１バッファメモリ１１に一時的に記録させる。そして、制御回路１８は、第１バッファメモリ１１に一時的に記録された動画像音声情報が予め定めた所定の設定量を超えたら、第１記録再生回路１３によってメモリカード１４に、第１バッファメモリ１１に一時的に記録された動画像音声情報を記録させる。
【００６３】
このような構成をとる本第３実施形態においても、先の第１実施形態と同様の効果を奏する。また、本第３実施形態では、前記第１、第２実施形態における記録再生指示ボタン１９ａに較べて、記録再生指示ボタン１９ａ’の構造を簡素化できる。
【００６４】
次に、本発明の第４実施形態について説明する。本第４実施形態の記録再生装置の構成は、指示入力部１９の記録再生指示ボタンが前記第３実施形態の記録再生指示ボタン１９ａ’である点を除いて、図５の前記第２実施形態の構成と同様である。
【００６５】
本第４実施形態において、記録モードを選択した状態において、ユーザが第１の圧縮形式の動画像情報、あるいは第２の圧縮形式の動画像情報の記録指示を、指示入力部１９の記録再生指示ボタン１９ａ’によって、前記第３実施形態と同様に行なうと、第１の圧縮形式の動画像情報の記録指示時には、第１の圧縮形式の画像音声情報を第１バッファメモリ１１に一時記録し、また、第２の圧縮形式の動画像情報の記録指示時には、第２の圧縮形式の画像音声情報を第２バッファメモリ１２に一時記録するまでの動作は、第３実施形態と同様である。そして、制御回路１８は、第１バッファメモリ１１に記録している画像音声情報の量と、第２バッファメモリ１２に記録している画像音声情報の量を、バッファオーバーフローしないように制御しながら、記録再生回路２４にそれぞれのバッファメモリ内の画像音声情報を、ピックアップ１６を介して光ディスク１７の別々の領域に記録させる。
【００６６】
なお、第１の圧縮形式の動画像情報と第２の圧縮形式の動画像情報を記録する手段は、ピックアップ１６及び光ディスク１７に代替して、メモリカード１４としてもよい。
【００６７】
また、本第４実施形態における再生時のユーザ操作は、前記第３実施形態と同様である。
【００６８】
このような構成をとる本第４実施形態においても、先の第３実施形態と同様の効果を奏する。また、本第４実施形態では、前記第１、第２実施形態における記録再生指示ボタン１９ａに較べて、記録再生指示ボタン１９ａ’の構造を簡素化できる。
【００６９】
なお、上述した第３、第４実施形態では、記録再生指示ボタン１９ａ’の短押しと長押しに応じて、第１の圧縮形式及び第２の動画像情報の記録開始、記録停止や、第１の圧縮形式及び第２の動画像情報の再生開始、再生停止を制御するようにしているが、短押しを１回押し、長押しを連続２回押しとしても、同様の動作を行え、このように操作形態を採用しても構わない。
【００７０】
また、上述した各実施形態では、第１の圧縮形式の動画像情報がＭＰＥＧ４、第２の圧縮形式の動画像情報がＭＰＥＧ２であるとしたが、第１の圧縮形式の動画像情報がＭＰＥＧ２、第２の圧縮形式の動画像情報がＭＰＥＧ４である場合も、同様の手法で記録・再生が実現できことは言うまでもない。また、ユーザの設定によって、第１の圧縮形式の第２の圧縮形式のいずれをＭＰＥＧ４とするか、ＭＰＥＧ２とするかを選択できるようにしても良い。なおまた、第１、第２の圧縮形式として他の圧縮形式を任意に適用可能であることも言うまでもない。さらにまた、上述した各実施形態では、記録再生装置は主としてカメラであることを前提として説明したが、本発明はこれに限らず、動画像情報を記録再生する装置に適用可能である。
【００７１】
【発明の効果】
以上のように本発明によれば、単一のボタンの操作によって、第１の圧縮形式による記録開始と記録停止、及び第２の圧縮形式による記録開始と記録停止を指示することができ、しかも、その操作は簡単・容易なものなので、ユーザフレンドリィな使い勝手の良い装置とすることがことができる。さらに、単一のボタンの操作によって、第１の圧縮形式による再生開始と再生停止、及び第２の圧縮形式による再生開始と再生停止を指示することができ、しかも、その操作は記録と同様に簡単・容易なものなので、同様に、ユーザフレンドリィな使い勝手の良い装置とすることがことができる。さらにまた、ボタンは単一であるのでその配置スペースの確保が容易で、ユーザにとって最も使いよい位置に容易に配置することができ、しかも、ボタン点数の削減にも貢献する。
【図面の簡単な説明】
【図１】本発明の第１実施形態に係る記録再生装置の構成を示すブロック図である。
【図２】本発明の第１実施形態に係る記録再生装置における、記録再生指示ボタンの操作状態を示す説明図である。
【図３】本発明の第１実施形態に係る記録再生装置における、記録再生選択スイッチの切り換え状態を示す説明図である。
【図４】本発明の第１実施形態に係る記録再生装置における、再生ファイル選択用画面の例を示す説明図である。
【図５】本発明の第２実施形態に係る記録再生装置の構成を示すブロック図である。
【図６】本発明の第３実施形態に係る記録再生装置における、記録操作・記録制御動作の第１例〜第４例を示す説明図である。
【符号の説明】
１  ＣＣＤ
２  デジタル化回路
３  第１画像圧縮伸長回路
４  第２画像圧縮伸長回路
５  マイク
６  デジタル化回路
７  第１音声圧縮伸長回路
８  第２音声圧縮伸長回路
９  第１多重分離回路
１０  第２多重分離回路
１１  第１バッファメモリ
１２  第２バッファメモリ
１３  第１記録再生回路
１４  メモリカード
１５  第２記録再生回路
１６  ピックアップ
１７  光ディスク
１８  制御回路
１９  指示入力部
１９ａ  記録再生指示ボタン
１９ａ’  記録再生指示ボタン
１９ｂ  記録再生選択スイッチ
２０  アナログ化回路
２１  ＬＣＤ
２２  アナログ化回路
２３  スピーカ
２４  記録再生回路
４１  サムネイル画像
【図１】
2004363924.tif 000003
【図２】
2004363924.tif 000004
【図３】
2004363924.tif 000005
【図４】
2004363924.tif 000006
【図５】
2004363924.tif 000007
【図６】
2004363924.tif 000008